(57)【要約】【課題】円筒体の円周寸法（外周長）を簡単な方法でかつ精度良く測定することができ、このような測定作業の効率を向上させることができる円筒体の円周寸法測定装置および円周寸法測定方法を提供する。【解決手段】円筒体の円周寸法測定装置１０は、印刷用ロール５０の外周面にそれぞれ当接されるべき２つの平面１４を有し、これらの２つの平面１４が所定の角度θをなして配置される本体部１２と、印刷用ロール５０の軸方向に直交する平面において本体部１２の２つの平面１４の交点Ｐから印刷用ロール５０の外周面までの最短距離Ｙを測定する距離測定部２０と、を備えている。【選択図】図２
2012093129.tif 000002
【特許請求の範囲】
【請求項１】
円筒体の外周面にそれぞれ当接されるべき２つの平面を有し、これらの２つの平面が所定の角度をなして配置される本体部と、
円筒体の軸方向に直交する平面において前記本体部の２つの平面の交点から円筒体の外周面までの最短距離を測定する距離測定部と、
を備えたことを特徴とする円筒体の円周寸法測定装置。
【請求項２】
前記本体部の２つの平面の間の角度と、前記本体部の２つの平面の交点から円筒体の外周面までの最短距離とに基づいて、円筒体の半径を算出し、この円筒体の半径に基づいて円筒体の円周寸法を算出する演算部を更に備えたことを特徴とする請求項１記載の円筒体の円周寸法測定装置。
【請求項３】
円筒体の軸方向に直交する平面において前記本体部の２つの平面はＶ字形状をなすよう配置されていることを特徴とする請求項１または２記載の円筒体の円周寸法測定装置。
【請求項４】
前記距離測定部はマイクロゲージであることを特徴とする請求項１乃至３のいずれか一項に記載の円筒体の円周寸法測定装置。
【請求項５】
請求項１乃至４のいずれか一項に記載の円筒体の円周寸法測定装置を用いた円筒体の円周寸法測定方法であって、
円周寸法が測定されるべき円筒体の外周面に、前記本体部の２つの平面をそれぞれ当接させる工程と、
前記距離測定部により、円筒体の軸方向に直交する平面において前記本体部の２つの平面の交点から円筒体の外周面までの最短距離を測定する工程と、
前記本体部の２つの平面の間の角度と、前記本体部の２つの平面の交点から円筒体の外周面までの最短距離とに基づいて、円筒体の半径を算出し、この円筒体の半径に基づいて円筒体の円周寸法を算出する工程と、
を備えたことを特徴とする円筒体の円周寸法測定方法。
【請求項６】
円筒体の半径は、以下の式により算出されることを特徴とする請求項５記載の円筒体の円周寸法測定方法。
Ｘ＝（Ｙ×ｃｏｓ（９０°−θ／２））／（１−ｃｏｓ（９０°−θ／２））
Ｘ：円筒体の半径
Ｙ：前記本体部の２つの平面の交点から円筒体の外周面までの間の最短距離
θ：前記本体部の２つの平面の間の角度
【発明の詳細な説明】
【技術分野】
【０００１】
本発明は、円筒体の円周寸法（外周長）を測定するための円周寸法測定装置および円周寸法測定方法に関する。円筒体は、各種機械の駆動軸や、グラビア印刷機等の印刷機の版胴、圧胴、ガイドロール等の印刷用ロールに用いられている。
【背景技術】
【０００２】
グラビア印刷機等の印刷機において、印刷物の品質を維持するために、版胴、圧胴、ガイドロール等の印刷用ロールの円周寸法（外周長）を精度良く測定することが必要である。従来から、このような印刷用ロールの円周寸法の測定を行うにあたりマイクロメーターが使用されていた。しかしながら、このようなマイクロメーターでは、測定分解能が低く、また、測定者の技量の個人差により測定誤差が発生するおそれがあった。より詳細には、マイクロメーターの測定分解能は１０μｍと比較的大きく、印刷用ロールの円周寸法（外周長）を精度良く測定することができないとう問題がある。また、印刷用ロールに対するマイクロメーターの当て方や目盛りの読み取り方法に習熟を要し、測定誤差が発生しやすいという問題がある。このため、マイクロメーターにより印刷用ロールの円周寸法を測定した場合、±６０μｍ程度の測定のばらつきが生じてしまう。また、測定対象となる印刷用ロールの外周面が周方向において半周以上露出した状態でないとマイクロメーターにより印刷用ロールの円周寸法を測定することができないため、印刷用ロールを印刷機に組み付けた状態では印刷用ロールの円周寸法を測定できない場合がある。この場合には印刷用ロールを一度印刷機から取り外して測定を行う必要があり、余分な時間がかかってしまうという問題がある。
【０００３】
また、印刷用ロールの円周寸法を測定するにあたり、特許文献１、２等に開示されるような専用の測定機を用い、３点法により印刷用ロールの円周寸法を測定する方法がある。このような方法では、測定分解能、測定ばらつき共に良好であるが、専用の測定機に印刷用ロールを組み付けた状態でしか印刷用ロールの円周寸法を測定することができず、また、測定時間も長いため、日常的に印刷用ロールの円周寸法を測定するのに不向きであるという問題がある。
【先行技術文献】
【特許文献】
【０００４】
【特許文献１】特許第４２４２５１９号
【特許文献２】特開２００６−２６６９１０号公報
【発明の概要】
【発明が解決しようとする課題】
【０００５】
本発明は、このような点を考慮してなされたものであり、円筒体の円周寸法（外周長）を簡単な方法でかつ精度良く測定することができ、このような測定作業の効率を向上させることができる円筒体の円周寸法測定装置および円周寸法測定方法を提供することを目的とする。
【課題を解決するための手段】
【０００６】
本発明は、円筒体の外周面にそれぞれ当接されるべき２つの平面を有し、これらの２つの平面が所定の角度をなして配置される本体部と、円筒体の軸方向に直交する平面において前記本体部の２つの平面の交点から円筒体の外周面までの最短距離を測定する距離測定部と、を備えたことを特徴とする円筒体の円周寸法測定装置である。
【０００７】
このような円筒体の円周寸法測定装置によれば、本体部の２つの平面を円筒体に当接させるだけで円筒体の円周寸法を算出でき、しかも、本体部の２つの平面が円筒体に当接する箇所は当該円筒体の外周面の半周以下の領域となるので（すなわち、円筒体の外周面の周方向における半分以上の領域は本体部の平面に接触することはないので）、印刷機に取り付けられた印刷用ロール等の円筒体についてその外周面の一部しか露出していない場合でも、本発明の円周寸法測定装置により当該円筒体の円周寸法を測定することができるようになる。このため、印刷用ロール等の円筒体を印刷機から取り外す手間を省くことができ、測定作業の効率を向上させることができる。
【０００８】
本発明の円筒体の円周寸法測定装置は、前記本体部の２つの平面の間の角度と、前記本体部の２つの平面の交点から円筒体の外周面までの最短距離とに基づいて、円筒体の半径を算出し、この円筒体の半径に基づいて円筒体の円周寸法を算出する演算部を更に備えていてもよい。
【０００９】
本発明の円筒体の円周寸法測定装置においては、円筒体の軸方向に直交する平面において前記本体部の２つの平面はＶ字形状をなすよう配置されていてもよい。
【００１０】
本発明の円筒体の円周寸法測定装置においては、前記距離測定部はマイクロゲージであってもよい。
【００１１】
本発明は、上述のような円筒体の円周寸法測定装置を用いた円筒体の円周寸法測定方法であって、円周寸法が測定されるべき円筒体の外周面に、前記本体部の２つの平面をそれぞれ当接させる工程と、前記距離測定部により、円筒体の軸方向に直交する平面において前記本体部の２つの平面の交点から円筒体の外周面までの最短距離を測定する工程と、前記本体部の２つの平面の間の角度と、前記本体部の２つの平面の交点から円筒体の外周面までの最短距離とに基づいて、円筒体の半径を算出し、この円筒体の半径に基づいて円筒体の円周寸法を算出する工程と、を備えたことを特徴とする円筒体の円周寸法測定方法である。
【００１２】
このような円筒体の円周寸法測定方法によれば、本体部の２つの平面を円筒体に当接させるだけで円筒体の円周寸法を算出でき、しかも、本体部の２つの平面が円筒体に当接する箇所は当該円筒体の外周面の半周以下の領域となるので（すなわち、円筒体の外周面の周方向における半分以上の領域は本体部の平面に接触することはないので）、印刷機に取り付けられた印刷用ロール等の円筒体についてその外周面の一部しか露出していない場合でも、本発明の円周寸法測定方法により当該円筒体の円周寸法を測定することができるようになる。このため、印刷用ロール等の円筒体を印刷機から取り外す手間を省くことができ、測定作業の効率を向上させることができる。
【００１３】
本発明の円筒体の円周寸法測定方法においては、円筒体の半径は、以下の式により算出されるようになっている。
Ｘ＝（Ｙ×ｃｏｓ（９０°−θ／２））／（１−ｃｏｓ（９０°−θ／２））
Ｘ：円筒体の半径
Ｙ：前記本体部の２つの平面の交点から円筒体の外周面までの間の最短距離
θ：前記本体部の２つの平面の間の角度
【発明の効果】
【００１４】
本発明の円筒体の円周寸法測定装置および円周寸法測定方法によれば、円筒体の円周寸法（外周長）を簡単な方法でかつ精度良く測定することができ、このような測定作業の効率を向上させることができる。
【図面の簡単な説明】
【００１５】
【図１】本発明の実施の形態による円周寸法測定装置の構成を示す斜視図である。
【図２】図１に示す円周寸法測定装置を用いて印刷用ロール（円筒体）の円周寸法（外周長）を測定する方法を説明するための概略構成図である。
【発明を実施するための形態】
【００１６】
以下、図面を参照して本発明の実施の形態について説明する。図１および図２は、本実施の形態に係る印刷用ロール（円筒体）の円周寸法測定装置および円周寸法測定方法を示す図である。より詳細には、図１は、本実施の形態による円周寸法測定装置の構成を示す斜視図であり、図２は、図１に示す円周寸法測定装置を用いて印刷用ロールの円周寸法（外周長）を測定する方法を説明するための概略構成図である。
【００１７】
図１および図２に示すように、本実施の形態の円周寸法測定装置１０は、逆Ｖ字形状の治具からなる本体部１２と、本体部１２に取り付けられた距離測定部２０とを備えている。ここで、本体部１２は、グラビア印刷機等の印刷機に用いられる版胴、圧胴、ガイドロール等の印刷用ロール５０（図２参照）の外周面にそれぞれ当接されるべき２つの平面１４を有している。図２に示すように、これらの２つの平面１４は、所定の角度θをなして配置されている。このように、本体部１２の２つの平面１４は、印刷用ロール５０の軸方向に直交する平面（すなわち、図２の紙面と平行な平面）においてＶ字形状をなすよう配置されている。
【００１８】
本体部１２は、印刷用ロール５０の外周面を傷つけず、かつ印刷用ロール５０の温度による変形等の影響を防ぐため、その材質はアルミニウムまたはセラミック素材となっており、本体部１２の軽量化や熱膨張防止を図るようになっている。
【００１９】
また、図１および図２に示すように、本体部１２には例えばマイクロゲージからなる距離測定部２０が取り付けられている。この距離測定部２０には棒状の測定子２２が設けられており、当該測定子２２は距離測定部２０から下方に延びるようになっている。この測定子２２は上下方向に移動自在となっており、当該測定子２２の先端部分は平面形状となっている。このことにより、マイクロゲージの軸ずれによる誤差を極小化することができるようになっている。このような測定子２２を有するマイクロゲージからなる距離測定部２０の測定分解能は例えば１μｍとなっている。
【００２０】
図２に示すように測定子２２が印刷用ロール５０の外周面に当接したときに、距離測定部２０は本体部１２の２つの平面１４の交点Ｐから測定子２２の先端部分までの距離Ｙを測定するようになっている。ここで、図２に示すように印刷用ロール５０の外周面に本体部１２の２つの平面１４がそれぞれ当接したときに、本体部１２の２つの平面１４の交点Ｐから測定子２２の先端部分までの距離Ｙは、この交点Ｐから印刷用ロール５０の外周面までの最短距離と等しい大きさとなる。このようにして、距離測定部２０は、印刷用ロール５０の軸方向に直交する平面（すなわち、図２の紙面と平行な平面）において本体部１２の２つの平面１４の交点Ｐから印刷用ロール５０の外周面までの最短距離を測定するようになっている。また、距離測定部２０には表示部２０ａが設けられており、表示部２０ａには、後述する演算部３０により算出される、印刷用ロール５０の円周寸法が表示されるようになっている。
【００２１】
図１および図２に示すように、距離測定部２０には演算部３０が設けられている。この演算部３０は、本体部１２の２つの平面１４の間の角度θと、本体部１２の２つの平面１４の交点Ｐから印刷用ロール５０の外周面までの最短距離Ｙとに基づいて、印刷用ロール５０の半径Ｘを算出し、この印刷用ロール５０の半径Ｘに基づいて印刷用ロールの円周寸法Ｚを算出するようになっている。演算部３０による印刷用ロール５０の半径Ｘおよび円周寸法Ｚの算出方法について以下に詳述する。
【００２２】
図２に示すように印刷用ロール５０の軸（中心）を符号Ｏで表示するとともに印刷用ロール５０の外周面と本体部１２の平面１４との接点を符号Ｑで表示すると、図２において直線ＯＱと平面１４とのなす角度は９０°となるので、直角三角形ＯＰＱにおいて以下の式（１）が成り立つようになる。
（Ｘ＋Ｙ）×ｃｏｓＡ＝Ｘ  ・・・式（１）
式（１）より、印刷用ロール５０の半径Ｘについて以下の式（２）が導き出される。
Ｘ＝（Ｙ×ｃｏｓＡ）／（１−ｃｏｓＡ）  ・・・式（２）
また、図２において直線ＯＱと平面１４とのなす角度が９０°であるため、角度θと角度Ａとの間には以下の式（３）が成り立つようになる。
Ａ＝９０°−θ／２  ・・・式（３）
式（３）による角度Ａを式（２）に代入すると、以下の式（４）が導き出される。
Ｘ＝（Ｙ×ｃｏｓ（９０°−θ／２））／（１−ｃｏｓ（９０°−θ／２））  ・・・式（４）
式（４）により、本体部１２の２つの平面１４の間の角度θと、本体部１２の２つの平面１４の交点Ｐから印刷用ロール５０の外周面までの最短距離Ｙとに基づいて、印刷用ロール５０の半径Ｘを算出することができることがわかる。また、印刷用ロール５０の半径Ｘが算出されると、印刷用ロール５０の円周寸法（外周長）Ｚは以下の式（５）により算出される。
Ｚ＝２×π×Ｘ  ・・・式（５）
このようにして、演算部３０は、本体部１２の２つの平面１４の間の角度θと、本体部１２の２つの平面１４の交点Ｐから印刷用ロール５０の外周面までの最短距離Ｙとに基づいて、印刷用ロール５０の半径Ｘを算出し、この印刷用ロール５０の半径Ｘに基づいて印刷用ロール５０の円周寸法Ｚを算出する。算出された印刷用ロール５０の円周寸法Ｚは、距離測定部２０の表示部２０ａに表示される。
【００２３】
なお、本発明による印刷用ロールの円周寸法測定装置においては、上述のような演算部３０の設置を省略することもできる。この場合には、距離測定部２０の表示部２０ａには、当該距離測定部２０により測定された、本体部１２の２つの平面１４の交点Ｐから印刷用ロール５０の外周面までの最短距離Ｙが表示される。そして、操作者は、本体部１２の２つの平面１４の間の角度θと、本体部１２の２つの平面１４の交点Ｐから印刷用ロール５０の外周面までの最短距離Ｙとに基づいて、上記式（４）を参照して手動で印刷用ロール５０の半径Ｘを算出し、さらに上記式（５）を参照して手動で印刷用ロール５０の円周寸法Ｚを算出する。
【００２４】
次に、このような構成からなる円周寸法測定装置１０の動作、具体的には印刷用ロール５０の円周寸法測定方法について説明する。
【００２５】
まず、図２に示すように、円周寸法が測定されるべき印刷用ロール５０の外周面に、円周寸法測定装置１０の本体部１２の２つの平面１４をそれぞれ当接させる。次に、マイクロゲージからなる距離測定部２０により、印刷用ロール５０の軸方向に直交する平面（すなわち、図２の紙面と平行な平面）において本体部１２の２つの平面１４の交点Ｐから印刷用ロール５０の外周面までの最短距離Ｙを測定する。より具体的には、円周寸法測定装置１０の本体部１２の２つの平面１４を印刷用ロール５０にそれぞれ当接させた後、距離測定部２０の測定子２２を印刷用ロール５０の外周面に当接するまで下方に伸ばし、測定子２２が印刷用ロール５０の外周面に当接したときに、この測定子２２の先端部分と本体部１２の２つの平面１４の交点Ｐとの間の距離を最短距離Ｙとする。
【００２６】
次に、本体部１２の２つの平面１４の間の角度θと、本体部１２の２つの平面１４の交点Ｐから印刷用ロール５０の外周面までの最短距離Ｙとに基づいて、印刷用ロール５０の半径Ｘを算出し、この印刷用ロール５０の半径Ｘに基づいて印刷用ロール５０の円周寸法Ｚを算出する。このような算出は、演算部３０により行われてもよいし、あるいは操作者により手動で行われてもよい。
【００２７】
以上のように本実施の形態の円筒体の円周寸法測定装置および円周寸法測定方法によれば、印刷用ロール５０の軸方向に直交する平面（すなわち、図２の紙面と平行な平面）において本体部１２の２つの平面１４の交点Ｐから印刷用ロール５０の外周面までの最短距離Ｙを測定し、この最短距離Ｙに基づいて印刷用ロール５０の円周寸法Ｚを算出するようになっている。このように、円周寸法測定装置１０の本体部１２の２つの平面１４を印刷用ロール５０に当接させるだけで印刷用ロール５０の円周寸法Ｚを算出でき、しかも、図２に示すように本体部１２の２つの平面１４が印刷用ロール５０に当接する箇所は当該印刷用ロール５０の外周面の半周以下の領域となるので（すなわち、図２において印刷用ロール５０の下半分の外周面は本体部１２の平面１４に接触することがないので）、印刷機に取り付けられた印刷用ロール５０についてその外周面の一部しか露出していない場合でも、本発明の円周寸法測定装置１０および円周寸法測定方法により当該印刷用ロール５０の円周寸法を測定することができるようになる。このため、印刷用ロール５０を印刷機から取り外す手間を省くことができ、測定作業の効率を向上させることができる。
【００２８】
また、距離測定部２０としてマイクロゲージを用いた場合には、このようなマイクロゲージの測定分解能は例えば１μｍであるため、従来のようなマイクロメーターを用いた場合と比較して、印刷用ロール５０の円周寸法を精度良く測定することができるようになる。
【００２９】
なお、本発明による円周寸法測定装置および円周寸法測定方法は、上記の態様に限定されるものではなく、様々の変更を加えることができる。例えば、距離測定部２０として、マイクロゲージ以外の計測機器を用いてもよい。
【００３０】
また、本体部１２が２つの板状部分に分離されており、分離された２つの板状部分が接続部により接続されるようになっていてもよい。この場合、分離された２つの板状部分の各々の表面が印刷用ロール５０の外周面に当接するようになる。また、この際に、分離された２つの板状部分のなす角度を調整することができるようになっていてもよい。このときには、印刷用ロール５０の外周面に当接する２つの板状部分の平面の間の角度を変更することができるようになる。
【実施例】
【００３１】
実施例において、２つの平面１４が所定の角度をなして配置される本体部１２と、マイクロゲージからなる距離測定部２０とを備えた円周寸法測定装置１０を製作した。このような円周寸法測定装置１０の全高は２２０ｍｍであり、重量は１１００ｇであり、印刷用ロール５０の円周寸法の測定可能範囲は２００〜５００ｍｍであり、測定分解能は１μｍであった。また、測定子２２の測定誤差は±１．５μｍ（マイクロゲージのスペック）であり、印刷用ロール５０の半径の測定誤差は±４．９μｍ（理論値）であり、印刷用ロール５０の円周寸法の測定誤差は±３０．９μｍ（理論値）であった。
【００３２】
このような円周寸法測定装置１０を用いて印刷用ロール５０の円周寸法を測定したところ、測定時間は４秒であった。また、このような円周寸法測定装置１０を用いて印刷用ロール５０の円周寸法を測定するにあたり、印刷機から印刷用ロール５０を取り外す必要がない場合が多かった。
【００３３】
次に、比較例として、マイクロメーターを用いて印刷用ロール５０の円周寸法を測定した場合について説明する。マイクロメーターの測定分解能は１０μｍであり、実施例において用いられるマイクロゲージと比較して測定分解能は非常に大きいといえる。また、マイクロメーターを用いた場合の印刷用ロール５０の円周寸法の測定誤差は±６３μｍとなり、実施例と比較して測定誤差が大きくなった。また、マイクロメーターを用いて印刷用ロール５０の円周寸法を測定したところ、測定時間は２０秒であり、実施例と比較して測定時間が長くなった。さらに、マイクロメーターを用いて印刷用ロール５０の円周寸法を測定するにあたり、印刷機における印刷用ロール５０の配置箇所によっては印刷機から印刷用ロール５０を取り外す必要が生じてしまい、この場合、測定時間は１０分以上かかってしまった。
【００３４】
以上のように、上述のような実施例および比較例によれば、本発明による円周寸法測定装置１０および円周寸法測定方法を用いることにより、印刷用ロール５０の円周寸法の測定における測定ばらつきが低減するとともに、印刷用ロール５０の円周寸法の測定作業の効率が十分に向上することがわかった。
【符号の説明】
【００３５】
１０  円周寸法測定装置
１２  本体部
１４  平面
２０  距離測定部
２０ａ  表示部
２２  測定子
３０  演算部
５０  印刷用ロール
【図１】
2012093129.tif 000003
【図２】
2012093129.tif 000004